(57)【要約】【課題】  挿通枠のバンド挿通開口部から、バンド部材の端部が不用意に抜け落ちることがなく、確実に装身具を装着固定することができるとともに、複雑な構成でなく、部品点数も少なく、組立作業の工程数も少なく、煩雑な組立作業が不要であり、製造コストを低減することのでき、しかも、寸法も小さく小型化が可能な装身具の中留構造を提供する。【解決手段】  挿通枠に他方のバンド部材の端部を挿通して、挿通枠を、中板部材、下板部材に対して折り畳んだ状態で、挿通枠の調整ピンが、バンド部材の長さ調整穴を介して、プッシュボタンケース本体に形成された回転防止手段に係合するとともに、下板部材に形成された係止ピンが、プッシュボタンケース本体に形成された係止部材に係合することによって、一方のバンド部材の端部と、他方のバンド部材の端部とを相互に連結するように構成されている。【選択図】  図１
2006115992.tif 000002
【特許請求の範囲】
【請求項１】
装身具の一方のバンド部材の端部に連結されるとともに、装身具の他方のバンド部材の端部に連結される装身具の中留構造であって、
前記一方のバンド部材の端部に連結された下板部材と、
前記下板部材の他方の端部に折り畳み可能に連結された中板部材と、
前記中板部材の他方の端部に折り畳み可能に連結され、他方のバンド部材の端部を挿通可能な挿通枠と、
前記中板部材の他方の端部に、折り畳み可能に連結されるとともに、中板部材と挿通枠の間に位置するように配置されたプッシュボタンケース本体と、
前記挿通枠に形成されるとともに、他方のバンド部材の端部に形成された長さ調整穴に係合して、装身具のバンド部材の長さを調整する調整ピンと、
前記下板部材に形成された係止ピンと、プッシュボタンケース本体に形成され、係止ピンに着脱自在に係止可能な係止部材とから構成される係止機構と、
前記プッシュボタンケース本体に形成されるとともに、前記挿通枠の調整ピンと着脱自在に係合する係合部とから構成される回転防止手段とを備え、
前記挿通枠に他方のバンド部材の端部を挿通して、挿通枠を、中板部材、下板部材に対して折り畳んだ状態で、前記挿通枠の調整ピンが、バンド部材の長さ調整穴を介して、プッシュボタンケース本体に形成された回転防止手段に係合するとともに、
前記下板部材に形成された係止ピンが、プッシュボタンケース本体に形成された係止部材に係合することによって、一方のバンド部材の端部と、他方のバンド部材の端部とを相互に連結するように構成されていることを特徴とする装身具の中留構造。
【請求項２】
前記回転防止手段の係合部が、プッシュボタンケース本体に形成された係合凹部から構成されていることを特徴とする請求項１に記載の装身具の中留構造。
【請求項３】
前記回転防止手段の係合部が、プッシュボタンケース本体の側端部に形成された係合スリット溝部から構成されていることを特徴とする請求項１に記載の装身具の中留構造。
【請求項４】
前記回転防止手段の係合部が、プッシュボタンケース本体の側端部に形成された係合窪み部から構成されていることを特徴とする請求項１に記載の装身具の中留構造。
【請求項５】
前記回転防止手段の係合部には、挿通枠の調整ピンを案内する案内斜面が形成されていることを特徴とする請求項１から４のいずれかに記載の装身具の中留構造。
【請求項６】
前記挿通枠の調整ピンが、その頭部が略球状に形成されていることを特徴とする請求項１から５のいずれかに記載の装身具の中留構造。
【請求項７】
前記挿通枠の調整ピンの頭部の断面形状と、回転防止手段の係合部の断面形状とが、略合致するように形成されていることを特徴とする請求項１から６のいずれかに記載の装身具の中留構造。
【請求項８】
前記挿通枠の調整ピンが、回転防止手段の係合部に対して、傾斜した角度で係合するように形成されていることを特徴とする請求項１から７のいずれかに記載の装身具の中留構造。
【請求項９】
前記挿通枠が、中板部材と下板部材の装着状態の断面形状に合致する断面形状を有するように構成されていることを特徴とする請求項１から８のいずれかに記載の装身具の中留構造。
【請求項１０】
前記一方のバンド部材の端部と下板部材との間に、折り畳み可能に連結された別の中板部材を備え、これにより、前記下板部材の両端部に連結された双方の中板部材が、両開き可能に構成されていることを特徴とする請求項１から９のいずれかに記載の装身具の中留構造。
【発明の詳細な説明】
【技術分野】
【０００１】
本発明は、身体に巻回されて装着される装身具の構造に関し、特に、腕時計、ブレスレッド等の手首に巻回される装身具、ネックレス等の首に巻回される装身具、または、ズボンのベルト等の腰に巻回される装身具に適し、その長さを微調整することができる装身具の中留構造に関する。
【背景技術】
【０００２】
従来、装身具としての時計バンド構造の中留構造におけるバンド長さを調整する機構としては、例えば、特許文献１（実用新案登録第３０１５７７０号公報）に開示されるように、図１４に示したような中留構造が用いられている。
【０００３】
この中留構造１００は、装身具（図示せず）の一方のバンド部材１０２の端部１０４に連結されるとともに、他方のバンド部材１０６の端部１０８に連結されるように構成されている。
【０００４】
すなわち、一方のバンド部材１０２の端部１０４に、連結ピン１１０を介して、下板部材１１２の一端部１１４が回動可能に連結されている。そして、下板部材１１２の他端部１１６に、ヒンジ１１８を介して、中板部材１２０の一端部１２２が、折り畳み可能に連結されている。また、中板部材１２４の他端部１２６に、ヒンジ１２８を介して、挿通枠１３０が折り畳み可能に連結されている。
【０００５】
また、下板部材１１２には、係止爪１３２が突設されているとともに、中板部材１２０には、この係止爪１３２に係合する係合穴１３４が形成されている。さらに、挿通枠１３０には、バンド部材１０６に一定間隔離間して形成された調整穴１３６に係合して、バンドの長さを調整するための調整ピン１３８が突設されている。
【０００６】
このように構成される従来の中留構造１００では、装着に際しては、図１５に示したように、挿通枠１３０のバンド挿通開口部１４０に、バンド部材１０６の端部１０８を挿通してバンド部材の長さを調整して、図１５の二点鎖線の位置から実線の位置まで、矢印Ａで示したように、挿通枠１３０をヒンジ１２８を介して回動することによって、折り畳むようになっている。
【０００７】
これによって、挿通枠１３０の調整ピン１３８が、バンド部材１０６の調整穴１３６に係合して、バンド部材１０６を係止することができるようになっている。
そして、この状態で、図１５の矢印Ｂで示したように、中板部材１２０を、ヒンジ１１８を介して、下板部材１１２の方向に回動して折り畳むことによって、下板部材１１２の係止爪１３２を、中板部材１２０の係合穴１３４に係合することによって、図１６に示したような装着状態となるようになっている。
【０００８】
しかしながら、このような中留構造１００では、装着状態において、振動、衝撃などによって、図１６の矢印Ｃで示したように、挿通枠１３０の調整ピン１３８が、バンド部材１０６の調整穴１３６から抜け外れて、挿通枠１３０がヒンジ１２８を介して外側方向に回動することがある。その結果、挿通枠１３０のバンド挿通開口部１４０から、バンド部材１０６の端部１０８が抜け落ちてしまい、腕時計が手首から外れてしまうおそれがある。
【０００９】
このため、従来より、例えば、特許文献２（特開平９−２０１２１２号公報）に開示さ
れるように、図１７に示したような中留構造が用いられている。
この中留構造２００は、図１７に示したように、いわゆる観音開き構造の中留構造であって、下板部材２０２の一端部２０４に、ヒンジ２０６を介して、一方の中板部材２０８の一端部２１０が折り畳み可能に連結されている。一方、この中板部材２０８の他端部２１２に、連結ピン２１６を介して、一方のバンド部材２１４が回動可能に連結されている。
【００１０】
また、下板部材２０２の他端部２１８に、ヒンジ２２０を介して、他方の中板部材２２２の一端部２２４が、折り畳み可能に連結されている。そして、図１７および図１８に示したように、この中板部材２２２の他端部２２６に、ヒンジ２２８を介して、プッシュボタンケース本体２３０が回動可能に連結されている。
【００１１】
また、プッシュボタンケース本体２３０には、その中央部に係止穴２３２が形成されているとともに、プッシュボタンケース本体２３０内に装着され、短手方向に突出するプッシュボタン２３４を操作することによって、係止穴２３２内の係止片（図示せず）の径が変化して、下板部材２０２の中央部に突設された係止ピン２３１が係止穴２３２内に係脱可能なように構成されている。
【００１２】
さらに、図１８に示したように、プッシュボタンケース本体２３０の上面には、他方のバンド部材２３６に一定間隔離間して形成された調整穴２３８に係合する調整ピン２３３が突設されている。また、プッシュボタンケース本体２３０の側部には、図１９に示したように、係止ピン装着穴２３８内に、バネ部材２４０を介して、外方に突出するように付勢された出没可能な係止ピン２４２を備え、係止ピン２４２が抜け落ちないように、係止パイプ部材２４３が装着されている。
【００１３】
また、プッシュボタンケース本体２３０の中板部材２２２側には、ヒンジ２４４を介して、挿通枠２４６が回動可能に装着されている。そして、挿通枠２４６には、その側部に、係止用穴２４８が形成されており、この係止用穴２４８に、プッシュボタンケース本体２３０の側部の係止ピン２４２が係合することができるように構成されている。
【００１４】
このように構成される従来の中留構造２００では、装着に際しては、図１７に示したように、挿通枠２４６のバンド挿通開口部２５０に、バンド部材２３６の端部２３１を挿通してバンド部材の長さを調整して、図１８の矢印Ｄで示したように、挿通枠２４６をヒンジ２４４を介して、プッシュボタンケース本体２３０の方向に回動することによって、折り畳むようになっている。
【００１５】
これによって、図１９に示したように、プッシュボタンケース本体２３０の調整ピン２３３が、バンド部材２３６の調整穴２３８に係合して、バンド部材２３６を係止することができるようになっている。また、挿通枠２４６の側部に形成された係止用穴２４８に、プッシュボタンケース本体２３０の側部の係止ピン２４２が係合するようになっている。
【００１６】
そして、この状態で、図１７の矢印Ｅで示したように、中板部材２０８を、ヒンジ２０６を介して、下板部材２０２の方向に回動して折り畳むことによって、下板部材２０２に形成した係止爪２５２を、中板部材２２２の連結ピン２１６に係合させ、中板部材２２２を下板部材２０２に固定するようになっている。
【００１７】
一方、図１７の矢印Ｆで示したように、中板部材２２２を、ヒンジ２２０を介して、下板部材２０２の方向に回動して折り畳むことによって、下板部材２０２の中央部に突設された係止ピン２３１が、プッシュボタンケース本体２３０の係止穴２３２内の係止片に係合して、装着状態となるようになっている。
【００１８】
従って、このような装着状態では、挿通枠２４６の側部に形成された係止用穴２４８に、プッシュボタンケース本体２３０の側部の係止ピン２４２が係合するので、装着状態において、振動、衝撃などによって、挿通枠２４６とプッシュボタンケース本体２３０との係合状態が、係止ピン２４２をバネ部材２４０に抗して押圧しない限り、解除されることがないようになっている。これによって、挿通枠２４６のバンド挿通開口部２５０から、バンド部材２３６の端部２３１が不用意に抜け落ちることがなく、腕時計が手首から外れてしまうことがないようになっている。
【特許文献１】実用新案登録第３０１５７７０号公報
【特許文献２】特開平９−２０１２１２号公報
【発明の開示】
【発明が解決しようとする課題】
【００１９】
しかしながら、この特許文献２（特開平９−２０１２１２号公報）に開示されるような従来の中留構造２００では、プッシュボタンケース本体２３０の側部に係止ピン装着穴２３８を形成し、この係止ピン装着穴２３８内に、バネ部材２４０を介して、外方に突出するように付勢された出没可能な係止ピン２４２、係止パイプ部材２４３を装着しなければならず、複雑な構成であり、部品点数を多くなり、組立作業の工程数も増加して、煩雑な組立作業が必要であり、その結果、製造コストが高くなってしまう。
【００２０】
また、このようにプッシュボタンケース本体２３０の側部に、係止ピン装着穴２３８、バネ部材２４０、係止ピン２４２、係止パイプ部材２４３を設けなければならないために、プッシュボタンケース本体２３０の寸法が大きくなってしまい、中留構造も大型化してしまうことになる。
【００２１】
本発明は、このような現状を考慮して、挿通枠のバンド挿通開口部から、バンド部材の端部が不用意に抜け落ちることがなく、確実に装身具を装着固定することができるとともに、複雑な構成でなく、部品点数も少なく、組立作業の工程数も少なく、煩雑な組立作業が不要であり、製造コストを低減することのでき、しかも、寸法も小さく小型化が可能な装身具の中留構造を提供することを目的とする。
【課題を解決するための手段】
【００２２】
本発明は、前述したような従来技術における課題および目的を達成するために発明なされたものであって、本発明の装身具の中留構造は、
装身具の一方のバンド部材の端部に連結されるとともに、装身具の他方のバンド部材の端部に連結される装身具の中留構造であって、
前記一方のバンド部材の端部に連結された下板部材と、
前記下板部材の他方の端部に折り畳み可能に連結された中板部材と、
前記中板部材の他方の端部に折り畳み可能に連結され、他方のバンド部材の端部を挿通可能な挿通枠と、
前記中板部材の他方の端部に、折り畳み可能に連結されるとともに、中板部材と挿通枠の間に位置するように配置されたプッシュボタンケース本体と、
前記挿通枠に形成されるとともに、他方のバンド部材の端部に形成された長さ調整穴に係合して、装身具のバンド部材の長さを調整する調整ピンと、
前記下板部材に形成された係止ピンと、プッシュボタンケース本体に形成され、係止ピンに着脱自在に係止可能な係止部材とから構成される係止機構と、
前記プッシュボタンケース本体に形成されるとともに、前記挿通枠の調整ピンと着脱自在に係合する係合部とから構成される回転防止手段とを備え、
前記挿通枠に他方のバンド部材の端部を挿通して、挿通枠を、中板部材、下板部材に対して折り畳んだ状態で、前記挿通枠の調整ピンが、バンド部材の長さ調整穴を介して、プ
ッシュボタンケース本体に形成された回転防止手段に係合するとともに、
前記下板部材に形成された係止ピンが、プッシュボタンケース本体に形成された係止部材に係合することによって、一方のバンド部材の端部と、他方のバンド部材の端部とを相互に連結するように構成されていることを特徴とする。
【００２３】
このように構成することによって、挿通枠に他方のバンド部材の端部を挿通して、挿通枠を、中板部材、下板部材に対して折り畳んだ状態で、挿通枠の調整ピンが、プッシュボタンケース本体に形成された回転防止手段に係合する。
【００２４】
そして、下板部材に形成された係止ピンが、プッシュボタンケース本体に形成された係止部材に係合することによって、一方のバンド部材の端部と、他方のバンド部材の端部とを相互に連結することができる。
【００２５】
従って、挿通枠の調整ピンが、プッシュボタンケース本体に形成された回転防止手段に係合するので、挿通枠のバンド挿通開口部から、バンド部材の端部が不用意に抜け落ちることがなく、確実に装身具を装着固定することができる。
【００２６】
しかも、複雑な構成でなく、部品点数も少なく、組立作業の工程数も少なく、煩雑な組立作業が不要であり、製造コストを低減することのでき、しかも、寸法も小さく小型化が可能である。
【００２７】
また、本発明の装身具の中留構造は、前記回転防止手段の係合部が、プッシュボタンケース本体に形成された係合凹部から構成されていることを特徴とする。
このように構成することによって、挿通枠の調整ピンが、プッシュボタンケース本体に形成された係合凹部に確実に係合することができ、挿通枠のバンド挿通開口部から、バンド部材の端部が不用意に抜け落ちることがなく、確実に装身具を装着固定することができる。
【００２８】
また、本発明の装身具の中留構造は、前記回転防止手段の係合部が、プッシュボタンケース本体の側端部に形成された係合スリット溝部から構成されていることを特徴とする。
このように構成することによって、プッシュボタンケース本体の側端部に係合スリット溝部を形成するだけで良いので、加工が容易であり、煩雑な作業が不要で、製造コストを低減することができる。
【００２９】
また、本発明の装身具の中留構造は、前記回転防止手段の係合部が、プッシュボタンケース本体の側端部に形成された係合窪み部から構成されていることを特徴とする。
このように構成することによって、プッシュボタンケース本体の側端部に係合窪み部を形成するだけで良いので、加工が容易であり、煩雑な作業が不要で、製造コストを低減することができる。
【００３０】
しかも、プッシュボタンケース本体の側端部に係合窪み部が形成されているだけであるので、装身具の中留構造として外観も良好であるとともに、プッシュボタンケース本体の側端部の両端に凹凸が存在しないので、装着感も良好である。
【００３１】
また、本発明の装身具の中留構造は、前記回転防止手段の係合部には、挿通枠の調整ピンを案内する案内斜面が形成されていることを特徴とする。
このよう構成することによって、挿通枠の調整ピンが、回転防止手段の係合部に形成された案内斜面に案内されて、円滑に回転防止手段の係合部と係合する位置に移動することができ、確実に係止することができる。
【００３２】
また、本発明の装身具の中留構造は、前記挿通枠の調整ピンが、その頭部が略球状に形成されていることを特徴とする。
このように挿通枠の調整ピンの頭部が略球状に形成されているので、挿通枠の調整ピンの頭部が円滑に回転防止手段の係合部と係合するとともに、挿通枠の調整ピンの頭部が磨耗損傷するのを防止することができる。
【００３３】
また、本発明の装身具の中留構造は、前記挿通枠の調整ピンの頭部の断面形状と、回転防止手段の係合部の断面形状とが、略合致するように形成されていることを特徴とする。
このように挿通枠の調整ピンの頭部の断面形状と、回転防止手段の係合部の断面形状とが、略合致するように形成されているので、係止状態でガタツキがなく、装着感が良好であるとともに、調整ピンの頭部、回転防止手段の係合部が磨耗損傷するのを防止することができる。
【００３４】
また、本発明の装身具の中留構造は、前記挿通枠の調整ピンが、回転防止手段の係合部に対して、傾斜した角度で係合するように形成されていることを特徴とする。
このよう構成することによって、挿通枠の調整ピンが、回転防止手段の係合部に対して、傾斜した角度で係合するので、装着の際に、バンド部材が、下板部材と中板部材の曲がった形状に沿って、手首などの形状に曲がった形状になったとしても、挿通枠の調整ピンが、バンド部材に形成した長さ調整穴を貫通して、確実に回転防止手段の係合部に係合することができ、より確実に装着固定することが可能である。
【００３５】
また、本発明の装身具の中留構造は、前記挿通枠が、中板部材と下板部材の装着状態の断面形状に合致する断面形状を有するように構成されていることを特徴とする。
このように構成することによって、装着時に手首などに沿った形状となるので、装着感、外観とも良好である。
【００３６】
また、本発明の装身具の中留構造は、前記一方のバンド部材の端部と下板部材との間に、折り畳み可能に連結された別の中板部材を備え、これにより、前記下板部材の両端部に連結された双方の中板部材が、両開き可能に構成されていることを特徴とする。
【００３７】
このように構成することによって、いわゆる観音開き構造の中留構造であっても、挿通枠の調整ピンが、プッシュボタンケース本体に形成された回転防止手段に係合するので、挿通枠のバンド挿通開口部から、バンド部材の端部が不用意に抜け落ちることがなく、確実に装身具を装着固定することができる。
【００３８】
しかも、複雑な構成でなく、部品点数も少なく、組立作業の工程数も少なく、煩雑な組立作業が不要であり、製造コストを低減することのでき、しかも、寸法も小さく小型化が可能である。
【発明の効果】
【００３９】
本発明によれば、挿通枠の調整ピンが、プッシュボタンケース本体に形成された回転防止手段に係合するので、挿通枠のバンド挿通開口部から、バンド部材の端部が不用意に抜け落ちることがなく、確実に装身具を装着固定することができる。
【００４０】
しかも、複雑な構成でなく、部品点数も少なく、組立作業の工程数も少なく、煩雑な組立作業が不要であり、製造コストを低減することのでき、しかも、寸法も小さく小型化が可能である。
【発明を実施するための最良の形態】
【００４１】
以下、図面を参照しながら本発明の実施の形態（実施例）について説明する。
本発明の装身具の中留構造を、時計バンド構造の中留構造に適用した実施例について、図面を参照して以下に詳細に説明する。
【００４２】
図１は、本発明の装身具の中留構造の第１の実施例の斜視図、図２は、図１の中留構造の分解斜視図、図３は、図１の中留構造のプッシュボタンケース本体の分解状態の斜視図、図４は、図１の中留構造の部分拡大斜視図である。
【００４３】
図１および図２に示したように、本発明の装身具の中留構造１（以下、単に「中留構造１」と言う）は、装身具である時計バンド構造において、腕時計（図示せず）の一方のバンド取付部（図示せず）に連結された一方のバンド部材２の端部に連結されるとともに、腕時計の他方のバンド取付部（図示せず）に連結された他方のバンド部材４の端部に連結されるものである。
【００４４】
そして、中留構造１は、図２に示したように、一方のバンド部材２の端部に形成した連結用孔６、下板部材８の端部の両側部に形成した連結フランジ８ａ、８ａに、連結ピン１０を装着することによって、一方のバンド部材２の端部に、下板部材８が回動可能に連結されている。この下板部材８の他方の端部に、ヒンジ１２を介して、中板部材１４が折り畳み可能に連結されている。
【００４５】
なお、下板部材８の他方の端部には、図１および図２に示したように、中板部材１４の細幅の端部１４ａが、折り畳んだ際に嵌合される嵌合用開口部８ｂが形成されており、これにより、図７に示したように、装着固定状態で、下板部材８と中板部材１４とが略合致した状態で、手首の曲率に略合致した形状となり、装着感、外観とも良好になるようになっている。
【００４６】
なお、中板部材１４には、下板部材８の係止ピン３が挿通するための係止ピン用開口部１４ｃが形成されている。
そして、図１および図２に示したように、中板部材１４の他方の端部には、連結片１６が形成されており、この連結片１６の連結用孔１６ａ、挿通枠１８の側板１８ａ、１８ａに形成された装着用孔２０、２０に、連結ピン２２を挿着することにより、挿通枠１８が、折り畳み可能に連結されている。
【００４７】
また、図１および図２に示したように、中板部材１４の他方の端部に形成された連結片１６の連結用孔１６ａ、プッシュボタンケース本体２４の端部の両端に形成された回動片２４ａ、２４ａに形成された連結用孔２４ｂ、２４ｂに、連結ピン２２を挿着することにより、プッシュボタンケース本体２４が、中板部材１４と挿通枠１８の間に位置し、中板部材１４の他方の端部に、折り畳み可能に連結されている。
【００４８】
すなわち、中板部材１４の他方の端部に、連結ピン２２を介して、プッシュボタンケース本体２４と、中板部材１４とが、一体的に、折り畳み可能に連結されている。
なお、プッシュボタンケース本体２４の端部の両端に形成された回動片２４ａ、２４ａの間の開口部２４ｃの形状、寸法は、中板部材１４の他方の端部に形成された連結片１６と略合致した形状となっており、これにより、図７に示したように、装着固定状態で、プッシュボタンケース本体２４と、中板部材１４と、挿通枠１８とが、略合致した形状となり、装着感、外観とも良好になるようになっている。
【００４９】
また、図１および図２に示したように、挿通枠１８には、他方のバンド部材４の端部を挿通可能なバンド挿通開口部２６が形成されている。そして、挿通枠１８には、その端部の枠部材２８の内側に、調整ピン３０が突設されている。
【００５０】
この調整ピン３０は、図１、図６に示したように、バンド部材４の端部に一定間隔離間して形成された長さ調整穴４ａに係合することによって、装身具のバンド部材の長さを調整するためのものである。
【００５１】
一方、図３および図４に示したように、プッシュボタンケース本体２４には、プッシュボタン用開口部３２が形成されており、このプッシュボタン用開口部３２内に、プッシュボタン３４ａ、３４ｂが装着されている。
【００５２】
すなわち、図３および図８に示したように、プッシュボタン３４ａは、プッシュボタン本体３６ａと、このプッシュボタン本体３６ａの他端に形成された係止用開口部３８ａと、プッシュボタン本体３６ａの側方側に形成されたバネ部材収容切欠部４０ａ、４２ａと、プッシュボタン本体３６ａに形成された抜け止め防止用穴４４ａとを備えている。
【００５３】
また、図３および図８に示したように、プッシュボタン３４ｂは、同様に、プッシュボタン本体３６ｂと、このプッシュボタン本体３６ｂの他端に形成された係止用開口部３８ｂと、プッシュボタン本体３６ｂの側方側に形成されたバネ部材収容切欠部４０ｂ、４２ｂと、プッシュボタン本体３６ｂに形成された抜け止め防止用穴４４ｂとを備えている。
【００５４】
そして、図８に示したように、プッシュボタン３４ａのバネ部材収容切欠部４０ａと、プッシュボタン３４ｂのバネ部材収容切欠部４２ｂとの間に、圧縮状態のバネ部材４６を介装し、プッシュボタン３４ｂのバネ部材収容切欠部４０ｂと、プッシュボタン３４ａのバネ部材収容切欠部４２ａとの間に、圧縮状態のバネ部材４６を介装する。
【００５５】
そして、プッシュボタンケース本体２４に形成した抜け止め防止用ネジ孔４８、４８、プッシュボタン３４ａ、３４ｂの抜け止め防止用穴４４ａ、４４ｂに、抜け止め防止用ネジ５０、５０を装着する。これによって、プッシュボタンケース本体２４のプッシュボタン用開口部３２内に、プッシュボタン３４ａ、３４ｂが、バネ部材４６によって相互に離間する方向に付勢された状態で装着されている。
【００５６】
従って、図３および図８に示したように、プッシュボタン３４ａの係止用開口部３８ａに形成された係止用テーパ面５２ａと、プッシュボタン３４ｂの係止用開口部３８ｂに形成された係止用テーパ面５２ｂとの間が、接近する方向にバネ部材４６によって付勢されている。
【００５７】
そして、この状態で、これらの係止用テーパ面５２ａ、５２ｂが、プッシュボタンケース本体２４の中央部に上下に形成された係止ピン用開口部１１、１３に位置するようになっている。
【００５８】
なお、これらの係止用テーパ面５２ａ、５２ｂは、装着固定時に、下板部材８の上面に突設するように形成された係止ピン３の略半球状の頭部３ａが着脱しやすいように、両面に向って広がるテーパ傾斜面となるように形成されている。
【００５９】
従って、これらの係止部材である係止用テーパ面５２ａ、５２ｂと、下板部材８の係止ピン３とで係止機構を構成している。
また、図３および図４に示したように、プッシュボタンケース本体２４の側端部には、挿通枠１８の枠部材２８に形成された調整ピン３０と着脱自在に係合する回転防止手段５４が設けられている。
【００６０】
この回転防止手段５４は、図３および図４に示したように、係合凹部形状の係合部５６を備えており、この係合部５６は、略半割り円筒形状のスリット溝５８から構成されてい
る。そして、挿通枠１８の調整ピン３０の略半球状の頭部３０ａが、このスリット溝５８に嵌合することによって、挿通枠１８をプッシュボタンケース本体２４に、着脱自在に係止することができるようになっている。
【００６１】
なお、この場合、スリット溝５８の底面５８ａの断面形状と、調整ピン３０の略半球状の頭部３０ａの断面形状が合致するように、すなわち、スリット溝５８の底面５８ａの断面の曲率と、調整ピン３０の頭部３０ａの断面の曲率とが、略合致するように形成されている。
【００６２】
これにより、挿通枠１８をプッシュボタンケース本体２４に係止した際に、確実に係止できるとともにガタツキが発生するのを防止することができるようになっている。
さらに、図３および図４に示したように、プッシュボタンケース本体２４の側端部には、スリット溝５８に連通する半円形状の切欠部６０が形成されており、この切欠部６０には、挿通枠１８の調整ピン３０の頭部３０ａを案内する案内斜面６０ａが形成されている。
【００６３】
このように構成される本発明の中留構造１について、手首に装着固定する使用方法について、図５〜図８に基づいて、以下に説明する。
先ず、図５に示したように、挿通枠１８のバンド挿通開口部２６に、バンド部材４の端部を挿通して、一定間隔離間して形成された長さ調整穴４ａの任意の長さ調整穴４ａが、挿通枠１８の調整ピン３０の下方に位置するように、バンド部材４の長さを調整する。
【００６４】
そして、図５の矢印Ｇで示したように、プッシュボタンケース本体２４の方向に、連結ピン２２を中心に回動するように折り畳むことによって、図６に示したように、挿通枠１８の調整ピン３０が、バンド部材４の長さ調整穴４ａを貫通するように挿通される。
【００６５】
そして、図６に示したように、バンド部材４の長さ調整穴４ａを貫通した挿通枠１８の調整ピン３０の頭部３０ａが、プッシュボタンケース本体２４の側端部のスリット溝５８に嵌合することによって、挿通枠１８と、バンド部材４と、プッシュボタンケース本体２４が一体的に係止される。
【００６６】
この状態で、図６の矢印Ｈで示したように、挿通枠１８を、さらに中板部材１４の方向に折り畳むことによって、プッシュボタンケース本体２４の下面が、中板部材１４に当接する。
【００６７】
そして、さらに挿通枠１８を、中板部材１４の方向に折り畳むことによって、図６の矢印Ｉで示したように、中板部材１４が、ヒンジ１２を介して、下板部材８の方向に折り畳むように回動する。
【００６８】
これにより、図７に示したように、下板部材８の係止ピン３が、中板部材１４に形成された係止ピン用開口部１４ｃ内を貫通するように挿通される。
そして、係止ピン３の頭部３ａが、プッシュボタンケース本体２４の中央部に形成された下方の係止ピン用開口部１３に挿通されて、係止ピン３の頭部３ａによって、バネ部材４６に抗して、図８の矢印Jで示したように、プッシュボタン３４ａの係止用テーパ面５
２ａと、プッシュボタン３４ｂの係止用テーパ面５２ｂとの間が広がり、係止ピン３の頭部３ａが、プッシュボタンケース本体２４の中央部に形成された下方の係止ピン用開口部１１にいたる。
【００６９】
これにより、図８の実線で示したように、プッシュボタン３４ａの係止用テーパ面５２ａと、プッシュボタン３４ｂの係止用テーパ面５２ｂとの間が、係止ピン３の細径の係止
ピン本体３ｂに位置して、再びバネ部材４６によって付勢されて接近する方向に移動して、係止ピン３が係止される。
【００７０】
これにより、挿通枠１８と、バンド部材４と、プッシュボタンケース本体２４と、中板部材１４と、下板部材８とが一体的に係止され、手首への装着固定が完了する。
従って、挿通枠１８の調整ピン３０が、プッシュボタンケース本体２４に形成された回転防止手段５４であるスリット溝５８に係合するので、挿通枠１８のバンド挿通開口部２６から、バンド部材４の端部が不用意に抜け落ちることがなく、確実に装身具を装着固定することができる。
【００７１】
さらに、手首への装着固定を解除するには、図８の実線位置から矢印Ｋで示した方向に、プッシュボタン３４ａとプッシュボタン３４ｂとを押すことによって、バネ部材４６に抗して、矢印Ｊで示したように、プッシュボタン３４ａの係止用テーパ面５２ａと、プッシュボタン３４ｂの係止用テーパ面５２ｂとの間が広がり、係止ピン３の頭部３ａの係止状態が解除される。
【００７２】
これによって、中板部材１４と、下板部材８のバネ力によって、図６に示した状態に復帰する。そして、手指で挿通枠１８をプッシュボタンケース本体２４から離脱する上方へ回動させることによって、図５に示したように、挿通枠１８の調整ピン３０とプッシュボタンケース本体２４のスリット溝５８との係合が解除されるとともに、挿通枠１８の調整ピン３０が、バンド部材４の長さ調整穴４ａから抜き出される。
【００７３】
そして、バンド部材４を挿通枠１８のバンド挿通開口部２６から取り外すことによって、装身具を手首から取り外すことができる。
図９は、本発明の装身具の中留構造の第２の実施例を示す装着固定状態の部分断面図、図１０は、図９の部分拡大断面図、図１１は、プッシュボタンケース本体の上面概略図、図１２は、プッシュボタンケース本体の分解状態の斜視図である。
【００７４】
この実施例の中留構造１は、基本的には、上記の第１の実施例の中留構造１と基本的には、同様な構成であり、同じ構成部材には同じ参照番号を付してその詳細な説明を省略する。
【００７５】
この実施例の中留構造１では、図９に示したように、挿通枠１８の一端部１８ｂが、内方に傾斜して、中板部材１４と下板部材８の装着状態の断面形状に合致する断面形状を有するように構成されている。そして、挿通枠１８の調整ピン３０が、回転防止手段５４の係合部５６に対して、傾斜した角度αで係合するようになっている。
【００７６】
これにより、バンド部材４の端部が、図９に示したように、下板部材８と中板部材１４の曲がった形状に沿って、手首などの形状に曲がった形状になったとしても、挿通枠１８の調整ピン３０が、バンド部材４に形成した長さ調整穴４ａを貫通して、確実に回転防止手段５４の係合部５６に係合することができ、より確実に装着固定することが可能である。しかも、装着時に手首などに沿った形状となるので、装着感、外観とも良好である。
【００７７】
なお、この角度αは、特に限定されるものではなく、下板部材８と中板部材１４の曲がった形状に応じて、上記の係止効果を考慮して適宜設定すればよい。上記の装着感、装着固定性を考慮すれば、この角度αは、例えば、１〜４０°、好ましくは、５〜２０°とするのが望ましい。なお、角度αは、男女の相違などの手首の太さにもより、手首が太くなれば、この角度αを小さくするようにし、逆に、手首が細くなれば、この角度αを大きくするように適宜設定すればよい。
【００７８】
この場合、図９に示したように、挿通枠１８の調整ピン３０の頭部３０ａ頭部が略球状に形成されている。
このように挿通枠１８の調整ピン３０の頭部３０ａが略球状に形成されているので、挿通枠１８の調整ピン３０の頭部３０ａが円滑に回転防止手段５４の係合部５６と係合するとともに、挿通枠１８の調整ピン３０の頭部３０ａが磨耗損傷するのを防止することができる。
【００７９】
また、図１０〜図１２に示したように、回転防止手段５４の係合部５６が、プッシュボタンケース本体２４の側端部中央部に形成された係合窪み部１５から構成されている。
このように構成することによって、プッシュボタンケース本体２４の側端部に係合窪み部１５を形成するだけで良いので、加工が容易であり、煩雑な作業が不要で、製造コストを低減することができる。
【００８０】
しかも、プッシュボタンケース本体２４の側端部に係合窪み部１５が形成されているだけであるので、装身具の中留構造として外観も良好であるとともに、プッシュボタンケース本体２４の側端部の両端に、第１の実施例のスリット溝５８のように凹凸が存在しないので、装着感も良好である。
【００８１】
そして、挿通枠１８の調整ピン３０の頭部３０ａの断面形状と、回転防止手段５４の係合部５６である係合窪み部１５の断面形状とが、略合致するように形成されている。
このように挿通枠１８の調整ピン３０の頭部３０ａの断面形状と、回転防止手段５４の係合部５６である係合窪み部１５の断面形状とが、略合致するように形成されているので、係止状態でガタツキがなく、装着感が良好であるとともに、調整ピン３０の頭部３０ａ、回転防止手段５４の係合部５６である係合窪み部１５が磨耗損傷するのを防止することができる。
【００８２】
図１３は、本発明の装身具の中留構造の第３の実施例の斜視図である。
この実施例の中留構造１は、基本的には、上記の第１の実施例の中留構造１と基本的には、同様な構成であり、同じ構成部材には同じ参照番号を付してその詳細な説明を省略する。
【００８３】
この実施例の中留構造１では、図１３に示したように、一方のバンド部材２の端部と下板部材８との間に、折り畳み可能に連結された別の中板部材１７を備え、これにより、下板部材８の両端部に連結された双方の中板部材１４、１７が、両開き可能に構成されている。
【００８４】
このように構成することによって、いわゆる観音開き構造の中留構造であっても、挿通枠１８の調整ピン３０が、プッシュボタンケース本体２４に形成された回転防止手段５４に係合するので、挿通枠１８のバンド挿通開口部２６から、バンド部材４の端部が不用意に抜け落ちることがなく、確実に装身具を装着固定することができる。
【００８５】
以上、本発明の好ましい実施の態様を説明したが、本発明はこれに限定されるものではなく、例えば、上記実施例では、本発明の装身具の中留構造を、時計バンド構造の中留構造に適用した実施例を示したが、ブレスレッド等の手首に巻回される装身具、ネックレス等の首に巻回される装身具、ズボンのベルト等の腰に巻回される装身具、バック、鞄などのベルト部などその他の装身具にも適用できるなど本発明の目的を逸脱しない範囲で種々の変更が可能である。
【図面の簡単な説明】
【００８６】
【図１】図１は、本発明の装身具の中留構造の第１の実施例の斜視図である。
【図２】図２は、図１の中留構造の分解斜視図である。
【図３】図３は、図１の中留構造のプッシュボタンケース本体の分解状態の斜視図である。
【図４】図４は、図１の中留構造の部分拡大斜視図である。
【図５】図５は、図１の中留構造の使用状態を説明する部分拡大断面図である。
【図６】図６は、図１の中留構造の使用状態を説明する部分拡大断面図ある。
【図７】図７は、図１の中留構造の使用状態を説明する部分拡大断面図である。
【図８】図８は、プッシュボタンケース本体の上面概略図である。
【図９】図９は、本発明の装身具の中留構造の第２の実施例を示す装着固定状態の部分断面図である。
【図１０】図１０は、図９の部分拡大断面図である。
【図１１】図１１は、プッシュボタンケース本体の上面概略図である。
【図１２】図１２は、プッシュボタンケース本体の分解状態の斜視図である。
【図１３】図１３は、本発明の装身具の中留構造の第３の実施例の斜視図である。
【図１４】図１４は、従来の装身具の中留構造の斜視図である。
【図１５】図１５は、図１４の装身具の中留構造の使用状態を説明する部分拡大断面図である。
【図１６】図１６は、図１４の装身具の中留構造の使用状態を説明する部分拡大断面図である。
【図１７】図１７は、従来の装身具の中留構造の斜視図である。
【図１８】図１８は、従来の装身具の中留構造の部分拡大斜視図である。
【図１９】図１９は、従来の装身具の中留構造の装着固定状態の部分拡大断面図である。
【符号の説明】
【００８７】
１     中留構造
２     バンド部材
３     係止ピン
３ｂ   係止ピン本体
３ａ   頭部
４     バンド部材
４ａ   調整穴
６     連結用孔
８     下板部材
８ａ   連結フランジ
８ｂ   嵌合用開口部
１０   連結ピン
１１   係止ピン用開口部
１２   ヒンジ
１３   係止ピン用開口部
１４   中板部材
１４ａ 端部
１４ｃ 係止ピン用開口部
１５   係合窪み部
１６   連結片
１６ａ 連結用孔
１７   中板部材
１８   挿通枠
１８ａ 側板
１８ｂ 一端部
２０   装着用孔
２２   連結ピン
２４   プッシュボタンケース本体
２４ａ 回動片
２４ｂ 連結用孔
２４ｃ 開口部
２６   バンド挿通開口部
２８   枠部材
３０   調整ピン
３０ａ 頭部
３２   プッシュボタン用開口部
３４ａ、３４ｂ       プッシュボタン
３６ａ、３６ｂ       プッシュボタン本体
３８ａ、３８ｂ       係止用開口部
４０ａ、４０ｂ       バネ部材収容切欠部
４２ａ、４２ｂ       バネ部材収容切欠部
４４ａ、４４ｂ       抜け止め防止用穴
４６   バネ部材
４８   抜け止め防止用ネジ孔
５０   抜け止め防止用ネジ
５２ａ、５２ｂ       係止用テーパ面
５４   回転防止手段
５６   係合部
５８   スリット溝
５８ａ 底面
６０   切欠部
６０ａ 案内斜面
【図１】
2006115992.tif 000003
【図２】
2006115992.tif 000004
【図３】
2006115992.tif 000005
【図４】
2006115992.tif 000006
【図５】
2006115992.tif 000007
【図６】
2006115992.tif 000008
【図７】
2006115992.tif 000009
【図８】
2006115992.tif 000010
【図９】
2006115992.tif 000011
【図１０】
2006115992.tif 000012
【図１１】
2006115992.tif 000013
【図１２】
2006115992.tif 000014
【図１３】
2006115992.tif 000015
【図１４】
2006115992.tif 000016
【図１５】
2006115992.tif 000017
【図１６】
2006115992.tif 000018
【図１７】
2006115992.tif 000019
【図１８】
2006115992.tif 000020
【図１９】
2006115992.tif 000021